(57)【要約】      （修正有）【課題】コイル状のワイヤ及びワイヤ自身の丸味を利用することにより肌を傷つけることなく肌を掻くことができると共に、コイル状のワイヤの弾性や支持部や柄部の柔軟性により、掻き具に掛かる無理な力を吸収して、尚一層肌を傷つけることを解消する。【解決手段】肌や背中の掻き具１は、肌掻き部２と支持部３と柄部４とを備え、肌掻き部２をコイル状のワイヤで形成したものであり、更に、肌掻き部２の内側に芯材５を挿通させたものであり、更には、肌掻き部２の一部の捲き径を膨出させたものであり、加えて、芯材５の先端を屈曲させると共に両側の基端を支持部３に固定したものであり、更には、肌掻き部２と握り部４ｃとを備え、握り部の底面に複数の弾性を有するコイル状のワイヤで形成した肌掻き部を植設したものである。【選択図】図５
0003127253.tif 000002
【実用新案登録請求の範囲】
【請求項１】
肌掻き部と支持部と柄部とを備えた略杆状の肌や背中の掻き具であって、前記肌掻き部を弾性を有するコイル状のワイヤで形成したことを特徴とする肌や背中の掻き具。
【請求項２】
前記肌掻き部の内側に芯材を挿通させたことを特徴とする請求項１に記載の肌や背中の掻き具。
【請求項３】
前記肌掻き部の一部の捲き径を膨出させた略太鼓状に形成したことを特徴とする請求項１又は請求項２に記載の肌や背中の掻き具。
【請求項４】
前記芯材の先端を略Ｕ字状に屈曲させると共に両側の基端を支持部に固定したことを特徴とする請求項２又は請求項３に記載の肌や背中の掻き具。
【請求項５】
肌掻き部と握り部とを備えた肌や背中の掻き具であって、前記握り部の底面に複数の弾性を有するコイル状のワイヤで形成した肌掻き部を植設したことを特徴とする肌や背中の掻き具。
【請求項６】
前記夫々の肌掻き部の内側に芯材を挿通させたことを特徴とする請求項６に記載の肌や背中の掻き具。
【請求項７】
前記夫々の肌掻き部の一部の捲き径を膨出させた略太鼓状に形成したことを特徴とする請求項５又は請求項６に記載の肌や背中の掻き具。
【請求項８】
前記夫々の芯材の先端を略Ｕ字状に屈曲させると共に両側の基端を握り部に固定したことを特徴とする請求項６又は請求項７に記載の肌や背中の掻き具。
【考案の詳細な説明】
【技術分野】
【０００１】
本考案は、一般に孫の手と呼ばれる背中掻きや痒いときにお腹や足等を掻くための肌や背中の掻き具に関するもので、更に詳細には、弾性を有するコイル状のワイヤを用いた肌や背中の掻き具に関するものである。
【背景技術】
【０００２】
従来、この種の掻き具や孫の手の人肌掻き部は、主に竹でできた熊手状のものや、細い棒状にした突起部を複数設けたものや、ブラシ状のもの、又は、ゴム等で多数の突起部を設けたものが用いられていた。
【０００３】
例えば、柄１の先端に、柄長手方向が接線方向となる湾曲板状の掻手部２を設けた孫の手において、掻手部２における先端掻縁部３の幅寸法Ｗ１を５ｃｍ以上で８ｃｍ以下にしてあるもの（特許文献１参照）や、長尺な本体部１２の一方の端部に掻き部１４が形成された掻き具１０において、掻き部１４は、所定の形状の領域Ａ内に複数の突起１６が２次元的に散らばって形成される。よって、掻き部１４をどの方向に移動させても従来のように極端に掻く効率が低下することはないもの（特許文献２参照）や、ブラシ状掻き手１５は可撓性のある棘状の櫛棒１６の複数本を配列してゴム基台にブラシ状に形成して保持し、該ゴム基台は柄１３の先端に設ける取り付け固定枠に押し込み装着し、押圧力に対応して柔軟なクッション性を有することを特徴としたクッションブラシ１４とするもの（特許文献３参照）等が先に開示されている。
【特許文献１】特開平９−７５４１２号公報（図１）
【特許文献２】特開平１１−１０４１９６号公報（図１）
【特許文献３】特開２００３−１８０７７０号公報（図１）
【考案の開示】
【考案が解決しようとする課題】
【０００４】
然し乍ら、特許文献１のものは、従来の孫の手の幅方向を拡げたものではあるが、竹又は竹素材に近似した材料特性のもので形成しており、適度な刺激を得られるものの力の加減により局部的な力が加わり肌を痛めかねないものであり、特許文献２のものは、複数の突起１６が２次元的に散らばって形成されているもので、更に、特許文献３のものは、可撓性のある棘状の櫛棒１６の複数本を配列してゴム基台にブラシ状に形成して保持したクッションブラシ１４としたもので、何れも、面状のものを押圧して掻くことになり、肌を痛めにくいものの肌に加わる力が少なく刺激が少なすぎるものである。
【課題を解決するための手段】
【０００５】
本考案の肌や背中の掻き具は、前述の課題に鑑み、鋭意研鑽の結果、肌掻き部と支持部と柄部とを備え、肌掻き部をコイル状のワイヤで形成したものであり、更に、肌掻き部の内側に芯材を挿通させたものであり、更には、肌掻き部の一部の捲き径を膨出させたものであり、加えて、心材の先端を屈曲させると共に両側の基端を支持部に固定したものであり、更には、肌掻き部と握り部とを備え、握り部の底面に複数の弾性を有するコイル状のワイヤで形成した肌掻き部を植設したものであり、更に、夫々の肌掻き部の内側に芯材を挿通させたものであり、更には、夫々の肌掻き部の一部の捲き径を膨出させた略太鼓状に形成したものであり、夫々の芯材の先端を屈曲させると共に両側の基端を握りに固定したものである。
【考案の効果】
【０００６】
本考案の肌や背中の掻き具は、前述の構成により、コイル状のワイヤ及びワイヤ自身の丸味を利用することにより肌を傷つけること無く肌を掻くことができると共に、コイル状のワイヤの弾性や支持部や柄部の柔軟性により、掻き具に掛かる無理な力を吸収して、尚一層肌を傷つけることを解消したものであり、従来の掻き具や爪で掻くことにより傷が発生し、回復時のかゆみから再度掻いて傷付けてしまうことを回避し、手の届かない背中を尖ったものや硬質のもので掻いてしまう人、または、肌の弱い人や、アトピー体質等でつい爪で肌を掻いてしまう人たちに効果的に用いることができ、かゆみから来るストレスを解消するものであり、また、皮膚の洗浄、マッサージに使用して血行を良くする効果も期待ができる画期的で実用性の高い考案である。
【考案を実施するための最良の形態】
【０００７】
本考案は、一般に孫の手と呼ばれる背中掻きやお腹や足等が痒いときに掻くための肌や背中の掻き具に関するもので、更に詳細には、弾性を有するコイル状のワイヤを用いた肌や背中の掻き具に関するものであり、請求項１に記載の肌や背中の掻き具は、肌掻き部と支持部と柄部とを備えた略杆状の肌や背中の掻き具であって、前記肌掻き部を弾性を有するコイル状のワイヤで形成したことを特徴とするものである。
【０００８】
更に、請求項２に記載の肌や背中の掻き具は、請求項１に記載の肌や背中の掻き具において、前記肌掻き部の内側に芯材を挿通させたことを特徴とするものである。
【０００９】
更には、請求項３に記載の肌や背中の掻き具は、請求項１又は請求項２に記載の肌や背中の掻き具において、前記肌掻き部の一部の捲き径を膨出させた略太鼓状に形成したことを特徴とするものである。
【００１０】
加えて、請求項４に記載の肌や背中の掻き具は、請求項２又は請求項３に記載の肌や背中の掻き具において、前記芯材の先端を略Ｕ字状に屈曲させると共に両側の基端を支持部に固定したことを特徴とするものである。
【００１１】
更には、請求項５に記載の肌や背中の掻き具は、肌掻き部と握り部とを備えた肌や背中の掻き具であって、前記握り部の底面に複数の弾性を有するコイル状のワイヤで形成した肌掻き部を植設したことを特徴とするものである。
【００１２】
更に、請求項６に記載の肌や背中の掻き具は、請求項５に記載の肌や背中の掻き具において、前記肌掻き部の内側に芯材を挿通させたことを特徴とするものである。
【００１３】
更には、請求項７に記載の肌や背中の掻き具は、請求項５又は請求項６に記載の肌や背中の掻き具において、前記肌掻き部の一部の捲き径を膨出させた略太鼓状に形成したことを特徴とするものである。
【００１４】
加えて、請求項８に記載の肌や背中の掻き具は、請求項６又は請求項７に記載の肌や背中の掻き具において、前記芯材の先端を略Ｕ字状に屈曲させると共に両側の基端を握り部に固定したことを特徴とするものである。
【実施例】
【００１５】
以下、本考案の肌や背中の掻き具を実施例の図面によって具体的に説明すると、図１は本考案の肌や背中の掻き具の実施例１の正面図であり、図２は本考案の肌や背中の掻き具の実施例２の（ａ）は平面図であり（ｂ）は正面図であり、図３は本考案の肌や背中の掻き具の実施例３の（ａ）は平面図であり（ｂ）は正面図であり、図４は本考案の肌や背中の掻き具の実施例４の（ａ）は一部断面とした正面図であり（ｂ）は延伸状態の一部断面とした正面図であり、図５は本考案の肌や背中の掻き具の実施例５の（ａ）は平面図であり（ｂ）は延伸状態の一部断面とした正面図であり（ｃ）は伸縮状態の正面図であり（ｄ）は支持部のしなり状態を表す正面図であり、図６は本考案の肌や背中の掻き具の当接状態の肌掻き部と肌の関連を示す説明図であり、図７（ａ）（ｂ）は本考案の肌や背中の掻き具の使用状態の肌掻き部と肌の関連を示す説明図であり、図８は本考案の肌や背中の掻き具の他の実施例の（ａ）は一部断面とした肌掻き部の正面図であり（ｂ）はその底面図であり、図９は本考案の肌や背中の掻き具の更に他の実施例の（ａ）は正面図であり（ｂ）はその底面図である。
【００１６】
以下、本考案の肌や背中の掻き具を実施例を図面により説明をすると、実施例１は図１に図示した如く、掻き具１はコイル状に捲回させたワイヤの肌掻き部２を先端とし、該肌掻き部２の基端を支持部３に固定し、該支持部３の基端を柄部４に接続したものである。
【００１７】
そして、実施例２は図２に図示した如く、コイル状のワイヤの肌掻き部２ａのを両端を細く捲回させ、中央付近を徐々に太く捲回させて略太鼓状に形成すると共に、肌掻き部２ａの内部に略Ｓ字状の芯材５を挿通させたものであり、肌掻き部２ａに芯材５を挿通させたことにより、掻く動作時に力を入れても肌掻き部２ａの先端の形状が安定し掻き易くなるものである。
【００１８】
次いで、実施例３は図３に図示した如く、肌掻き部２ｂのコイル状のワイヤの両端及び中央を細く捲回させ、両端から中央付近においては徐々に太めに捲回させ略太鼓状の部位を２段に捲回させたもので、図３（ａ）において平面視が略Ｕ字状に、且つ、図３（ｂ）において正面視が略Ｓ字形に形成した芯材５ａを肌掻き部２ｂの内部に挿通させているものである。
【００１９】
つまり、肌掻き部２ｂに略Ｕ字状に形成した芯材５ａを挿通させることにより、掻く動作時に力を入れても肌掻き部２ａの先端の形状が安定すると共に、肌掻き部２ｂの両側の２ヵ所が肌に当たるため横ブレが少なくなり、安定した掻き易さが向上するものである。
【００２０】
前述において、肌掻き部２、２ａ、２ｂに用いるワイヤの径は０．８ｍｍ前後の太さとして、コイル状に捲回させた巻き径は約１０ｍｍ前後が好適で、掻き心地が良く、肌の柔らかさや、部位によりワイヤの太さを０．４ｍから１．２ｍｍぐらいの径とし、ワイヤーを細くする際はコイルの巻き径も細くすると掻き心地が良好なものである。
【００２１】
又、肌掻き部２、２ａ、２ｂに用いるワイヤの材質はステンレス鋼を使用したものが反発性や防錆性の点から優れているが、肌アレルギーを考慮しチタン材を使用したり、表面に金メッキ等を施しても構わないもので、更に、ワイヤの材質は真鍮や鉄材等の金属材料、プラスチック材料等の適度な強度や柔軟性が有れば構わないものである。
【００２２】
次いで、実施例４は図４に図示した如く、実施例３の掻き具１を用いて手動により肌掻き部２ｂを進退させるもので、可動支持台１３の幅方向に複数の凹凸面を形成すると共に、該凹凸面に歯合する複数の歯を設けた可動ハンドル１１を可動軸１２で枢動可能に固定し、戻りバネ１０を利して進退させるもので、握り部４ｃに手７の人差し指９等を掛け、可動軸１２に戻りバネ１０で戻る力を設けた可動ハンドル１１に親指８を掛け、図４（ｂ）に図示するように、親指８を人差し指９の方向に動かすことにより、可動支持台１３（柄部４ａ）が前方に動くことにより、支持部３ｂ、肌掻き部２ｂが前方に動き、親指８の力を抜くことにより図４（ａ）に図示する状態に戻ることにより、肌掻き部２ｂが戻りバネ１０の戻る力で図右手方向に移動するものである。
【００２３】
更に、実施例５は図５に図示した如く、支持部３ｂをスライドさせ携帯等に便利に伸縮させて携帯又は収納に良好なもので、スライド台１４を支持部３ｂがスライドし、スライド台１４の内側に取り付けた板バネ１５の突起部１５ａが、支持部３ｂに設けた溝６の段差に掛かり、支持部３ｂを仮固定状態とするものである。
【００２４】
そして、実施例５の図５（ａ）は平面図で、（ｂ）は延伸状態の正面図で、（ｃ）は伸縮状態の正面図であり、また、（ｄ）は支持部３ｂのしなり状態を表すもので、支持部３ｂの棒状材による柔軟性により肌掻き部２ｂが図上で上下方向に動き、掻く動作時に肌掻き部２ｂに無理な力が掛かった際に無理な力を吸収するものである。
【００２５】
ここでの支持部３ｂの部材は、例えば、３ｍｍ径のステンレス鋼や真鍮やアルミのパイプを使用するもので、表面に鍍金等を施しても良いもので、また、ファイバー含有のプラスチック材を用いても良く、柄部４ｂは木、竹、プラスチック材等を用いたり、木等の含心材を用いても構わないものである。
【００２６】
本考案の肌や背中の掻き具の使用状態の肌掻き部２ｂと肌との説明すると、図６又は図７に図示する如く、肌掻き部２ｂは矢印１７の方向に肌１８の表面を掻いた状態を示し、肌は肌掻き部２ｂのコイル１９によりたわみ肌１８ｂとなるものであり、図７（ａ）は掻くことにより肌１８がたわみ肌１８ｂが形成され、（ｂ）は曲面肌１８ａの表面を力を強めに入れて掻いた状態を示すもので、コイル１９は矢印１７ａの方向に移動して力を分散しているものであり、程良い刺激が与えられるものである。
【００２７】
つまり、たわみ肌１８ｂは肌掻き部２ｂと共に移動し、肌は例えれば津波の様に肌表面を移動することとなり、この動きにより肌の血行を促進するものである。
【００２８】
次いで、図８は本考案の肌や背中の掻き具の他の実施例を示すもので、握り部４ｃは掌に納まる程度の把持し易い形状のもので、握り部４ｃの底面の内側にコイルスプリング２２を介し取付ネジ２１で係止した取付板２０に肌掻き部２ｂを４方向に取り付けたものを示すもので、主に顔、お腹、足等を掻く掻き具であり、掻くだけでなく素肌を洗ったり、マッサージする目的としても使用しても良く、洗剤やスキンクリーム等を付けて用いても良いものである。
【００２９】
次に、肌掻き部２ｂは本体掻き器具１ｂを動かすことにより、どちらの方向に移動しても肌掻き部２ｂのコイルの巻き方向が移動方向に略直角方向となる様に肌掻き部２ｂを４個用いているが、肌掻き部の形状により４個で無くとも構わないものである。
【００３０】
更に、握り部４ｃは例えば木を成形したものであるが、プラスチックや金属で形成しても構わなく、また、芯材５ａは取付板２０に直角方向に取り付けているが、取付板と平行方向に芯材が伸びる様に横方向に取り付けても構わないものである。
【００３１】
そして、図９は更に他の実施例であり、肌掻き部２ｂを４方向に配し、肌掻き部２ｂに挿通させた芯材５ａを一体化させたものである。
【産業上の利用可能性】
【００３２】
本考案は、一般に孫の手と呼ばれる背中掻きや痒いときに掻くための肌や背中の掻き具であり、弾性を有するコイル状のワイヤを用いたことにより、肌に優しく、且つ、適宜な刺激を与えるものである。
【図面の簡単な説明】
【００３３】
【図１】図１は本考案の肌や背中の掻き具の実施例１の正面図である。
【図２】図２は本考案の肌や背中の掻き具の実施例２の（ａ）は平面図であり（ｂ）は正面図である。
【図３】図３は本考案の肌や背中の掻き具の実施例３の（ａ）は平面図であり（ｂ）は正面図である。
【図４】図４は本考案の肌や背中の掻き具の実施例４の（ａ）は一部断面とした正面図であり（ｂ）は延伸状態の一部断面とした正面図である。
【図５】図５は本考案の肌や背中の掻き具の実施例５の（ａ）は平面図であり（ｂ）は延伸状態の一部断面とした正面図であり（ｃ）は伸縮状態の正面図であり（ｄ）は支持部のしなり状態を表す正面図である。
【図６】図６は本考案の肌や背中の掻き具の当接状態の肌掻き部と肌の関連を示す説明図である。
【図７】図７（ａ）（ｂ）は本考案の肌や背中の掻き具の使用状態の肌掻き部と肌の関連を示す説明図である。
【図８】図８は本考案の肌や背中の掻き具の他の実施例の（ａ）は一部断面とした正面図であり（ｂ）はその底面図である。
【図９】図９は本考案の肌や背中の掻き具の更に他の実施例の（ａ）は正面図であり（ｂ）はその底面図である。
【符号の説明】
【００３４】
１、１ａ、１ｂ      肌掻き具
２、２ａ、２ｂ      掻き部
３、３ａ、３ｂ      支持部
４、４ａ、４ｂ      柄部
４ｃ                握り部
５、５ａ            芯材
６        溝
７        手
８        親指
９        人差し指
１０      戻りバネ
１１      可動ハンドル
１２      可動軸
１３      可動支持台
１４      スライド台
１５      板バネ
１５ａ    突起部  
１６      接続具
１７、１７ａ、１７ｂ      矢印
１８      肌
１８ａ    曲面肌
１８ｂ    たわみ肌
１９      コイル
２０      取付板
２１      取付ネジ
２２      コイルスプリング
【図１】
0003127253.tif 000003
【図２】
0003127253.tif 000004
【図３】
0003127253.tif 000005
【図４】
0003127253.tif 000006
【図５】
0003127253.tif 000007
【図６】
0003127253.tif 000008
【図７】
0003127253.tif 000009
【図８】
0003127253.tif 000010
【図９】
0003127253.tif 000011
【手続補正書】
【提出日】平成17年10月31日(2005.10.31)
【手続補正１】
【補正対象書類名】実用新案登録請求の範囲
【補正対象項目名】請求項６
【補正方法】変更
【補正の内容】
【請求項６】
前記夫々の肌掻き部の内側に芯材を挿通させたことを特徴とする請求項５に記載の肌や背中の掻き具。